(57)【特許請求の範囲】
【請求項１】
上面部を有するケーシングと、樹脂製櫛歯体と、横軸部と、ガイド部材とからなり、前記樹脂製櫛歯体は、材質としては硬質合成樹脂製であって、上部側の棒状取付部と、該棒状取付部の長手方向に沿って、該長手方向と直交する方向の垂下方向を向く複数の単位櫛歯と、隣接する単位櫛歯間の空隙部とで構成され、前記樹脂製櫛歯体の棒状取付部が前記ケーシングの上面部下面に固着され、前記横軸部が前記複数の単位櫛歯の下端に接すると共に、前記ケーシングに形成された横長孔を摺動可能に構成され、且つ前記横軸部には、前記ガイド部材が固着され、該ガイド部材は前記ケーシングに対して摺動可能に構成され、前記ガイド部材は屋根面固定用の部位としてなることを特徴とする折板屋根受具。
【請求項２】
請求項１において、前記横軸部は、１本のみが設置されてなることを特徴とする折板屋根受具。
【請求項３】
請求項１において、前記横軸部は、２本が所定間隔に設置されてなることを特徴とする折板屋根受具。
【請求項４】
請求項３において、前記２本の横軸部の箇所は、前記横長孔の中央位置とし、且つ前記横軸部に当たる位置に対応する単位櫛歯の下端は凹溝に形成されると共に、前記横軸部の断面は円形に形成されてなることを特徴とする折板屋根受具。
【請求項５】
請求項４において、単位櫛歯の下端は凹溝に形成しされた以外の他の複数の単位櫛歯の下端は先鋭部として形成されてなることを特徴とする折板屋根受具。
【請求項６】
請求項１，２，３，４又は５の少なくとも１項において、前記ケーシングは１層屋根の構造物上に設置可能としてなることを特徴とする折板屋根受具。
【請求項７】
請求項１，２，３，４又は５の少なくとも１項において、前記ケーシングは分割形として、２層屋根とする下部屋根の馳部に取付可能部が形成されてなることを特徴とする折板屋根受具。
【請求項８】
請求項１，２，３，４，５，６又は７の少なくとも１項において、前記屋根面固定用の部位としての吊子が設けられ、前記ケーシングの上又は横に固着されてなることを特徴とする折板屋根受具。
【発明の詳細な説明】
【技術分野】
【０００１】
本発明は、折板屋根の流れ方向で且つ長手方向が長尺な屋根板材において、その長手方向に熱伸縮が発生しても、良好に対応できる折板屋根受具に関する。
【背景技術】
【０００２】
従来より、折板屋根の流れ方向で且つ長手方向が長尺な屋根板材において、その長手方向に熱伸縮が発生しても、該熱伸縮に対応するような受具が種々開発されている。その折板屋根において、山部と谷部とが連続する折板屋根では、外気温度の変化によって、屋根板材の長手方向が長尺な場合、その長手方向に沿って伸縮する。
【０００３】
この伸縮量は、夏等の高温時には極めて大きく、熱歪が発生することにより、特に馳部等の連結部の吊子及び支持具による固定箇所では、熱伸縮による大きな歪が現れて、きしみ音が出る音鳴り現象が発生していたので、これを解消すべく、熱伸縮に対応して適宜可動する可動型屋根受具（スライド型固定金具ともいう。）が開発されており、この種のものとして特許文献１及び特許文献２に開示されている。
【０００４】
該可動型屋根受具は、施工時の温度条件並びに、完成後の使用状態における伸び側、縮み側の変位を吸収するため、確実にスライド代を確保する必要がある。しかし、施工時、スライド中央位置に吊子をセットした（センタリング）状態で可動型屋根受具を取り付けても、その後屋根葺き作業等を行うと、その段階で可動型屋根受具の吊子が勝手にスライドしてしまい、不適切な（伸縮吸収代が無い）位置で屋根板材に固定されることがしばしば生じ得る。
【０００５】
この場合、伸縮代のない可動型屋根受具に熱伸縮力が集中し、可動型屋根受具が破損する虞も生じていた。折板屋根の屋根板材によって施工された屋根で、特に大形建造物においては、従来の可動型屋根受具を使用しても、そのスライド性能が十分発揮されないことがあった。また、固定型屋根受具（拘束型固定金具ともいう。）に対して、屋根板材の過大な熱伸縮による荷重が働き、前記固定型屋根受具には損傷が引き起こされることがあった。
【先行技術文献】
【特許文献】
【０００６】
【特許文献１】特開２００８−２５５６４８
【特許文献２】特開２００９−２０３７１８
【発明の概要】
【発明が解決しようとする課題】
【０００７】
このような破損については次の要因が考えられる。その折板屋根板材には、熱伸縮力以外に、屋根板材自身の重量、積雪荷重、風荷重、地震荷重等の様々の負荷が掛かる。これらの負荷が掛かった状態では、円滑にスライドしないことが生じ得る。また建物の供用期間中にはこれらの負荷により、スライド性能が低下することが考えられる。一般には熱伸縮に対応できるような可動型屋根受具については、特許文献１及び特許文献２に開示されているが、これらの特許文献１，２では上記の問題点や或は施工時、スライド中央位置から吊子がずれてしまうという不都合な点は解決されていない。
【０００８】
また、一般に、二重屋根に使用される固定型屋根受具の方が熱伸縮による負荷は大きい。これは、二重屋根を使用する建物では、空調等を備えることが一般であり、そのために、躯体や二重屋根の下葺き用の屋根板材の温度条件の変動が小さく、上葺き用の屋根板材の温度変化がそのまま熱伸縮負荷として断熱具にかかることになる。また、上葺き屋根板材の下に断熱材があることで、熱が上葺き屋根板材の下に逃げにくくなるため、上葺き屋根板材の温度変動が大きくなり、可動型屋根受具の開発の要望がある。
【０００９】
金属製の折板屋根の熱伸縮による場合には、その長さ位置、例えば、先端の５０ｍの位置と、その箇所より２０ｍ内側では、伸縮量が相違し、伸縮量に応じた，ばね定数となって、これを変えるには現実的には困難である。そこで、どの位置でも、同じ力が作用するものが望まれていた。その役割をなす原理機構として、ローラマイトばねが存在していることが判明しているが、如何にして応用するかは重要な課題であった。
【００１０】
本発明が解決しようとする課題（技術的課題又は目的等）は、折板屋根の流れ方向としての屋根板材の長手方向が長尺で、その長手方向に熱伸縮が発生しても、それを良好に追従することができ、特に、伸縮量の変化にかかわらず、どの位置でも、同じ力が作用するように開発し、その力で抵抗力を持たせるようにすることを実現することにある。    
【課題を解決するための手段】
【００１１】
そこで、発明者は上記課題を解決すべく鋭意，研究を重ねた結果、請求項１の発明を、上面部を有するケーシングと、樹脂製櫛歯体と、横軸部と、ガイド部材とからなり、前記樹脂製櫛歯体は、材質としては硬質合成樹脂製であって、上部側の棒状取付部と、該棒状取付部の長手方向に沿って、該長手方向と直交する方向の垂下方向を向く複数の単位櫛歯と、隣接する単位櫛歯間の空隙部とで構成され、前記樹脂製櫛歯体の棒状取付部が前記ケーシングの上面部下面に固着され、前記横軸部が前記複数の単位櫛歯の下端に接すると共に、前記ケーシングに形成された横長孔を摺動可能に構成され、且つ前記横軸部には、前記ガイド部材が固着され、該ガイド部材は前記ケーシングに対して摺動可能に構成され、前記ガイド部材は屋根面固定用の部位としてなることを特徴とする折板屋根受具としたことにより、前記課題を解決した。
【００１２】
請求項２の発明を、請求項１において、前記横軸部は、１本のみが設置されてなることを特徴とする折板屋根受具としたことにより、前記課題を解決した。請求項３の発明を、請求項１において、前記横軸部は、２本が所定間隔に設置されてなることを特徴とする折板屋根受具としたことにより、前記課題を解決した。請求項４の発明では、請求項３において、前記２本の横軸部の箇所は、前記横長孔の中央位置とし、且つ前記横軸部に当たる位置に対応する単位櫛歯の下端は凹溝に形成されると共に、前記横軸部の断面は円形に形成されてなることを特徴とする折板屋根受具としたことにより、前記課題を解決した。
【００１３】
請求項５の発明では、請求項４において、単位櫛歯の下端は凹溝に形成しされた以外の他の複数の単位櫛歯の下端は先鋭部として形成されてなることを特徴とする折板屋根受具としたことにより、前記課題を解決した。請求項６の発明では、請求項１，２，３，４又は５の少なくとも１項において、前記ケーシングは１層屋根の構造物上に設置可能としてなることを特徴とする折板屋根受具としたことにより、前記課題を解決した。
【００１４】
請求項７の発明では、請求項１，２，３，４又は５の少なくとも１項において、前記ケーシングは分割形として、２層屋根とする下部屋根の馳部に取付可能部が形成されてなることを特徴とする折板屋根受具としたことにより、前記課題を解決した。請求項８の発明を、請求項１，２，３，４，５，６又は７の少なくとも１項において、前記屋根面固定用の部位としての吊子が設けられ、前記ケーシングの上又は横に固着されてなることを特徴とする折板屋根受具としたことにより、前記課題を解決したものである。
【発明の効果】
【００１５】
請求項１の発明においては、横軸部の摺動にて樹脂製櫛歯体の単位櫛歯が撓み、該撓みの状態時において、抵抗力が増加するものである。つまり、折板屋根の流れ方向で且つ屋根板材の長手方向が長尺で、その長手方向に熱伸縮が発生しても、その熱伸縮に応じて前記横軸部の摺動し、前記樹脂製櫛歯体の単位櫛歯を撓ませて抵抗力を増加させるものであり、熱伸縮に応じて良好に追従することができる利点がある。
【００１６】
特に、複数の単位櫛歯を順次撓ませることで、定荷重無反発バネに近い値となるような構成部材にできる最大の利点がある。請求項２の発明では、１本の横軸部の摺動にてもガイド部材を摺動させることができ、基本的な動作を確実にできる。請求項３では、２本の横軸部の摺動にてのガイド部材の摺動構成であり、２本として安定した動作を提供できる確実にできる。
【００１７】
請求項４の発明では、断面円形の横軸部が単位櫛歯の下端の凹溝に対応することから、本願発明品を、現場施工時において、セットするときに、当初から中立位置に安定した状態にできる利点がある。請求項５においては、単位櫛歯の下端は先鋭部に、断面円形の横軸部が当たることでスムーズな撓み状態を得ることができる。
【００１８】
請求項６の発明においては、１層屋根用としての折板屋根受具として提供できる。請求項７の発明においては、２層屋根の下部屋根の馳部に良好に取付ができる折板屋根受具にできる。請求項８の発明では、屋根部位に取付が簡易にできる利点がある。
【図面の簡単な説明】
【００１９】
【図１】（Ａ）は本発明の第１実施形態の一部切除した側面図、（Ｂ）は（Ａ）のＹ−Ｙ矢視断面図である。
【図２】（Ａ）は本発明の第１実施形態の斜視図、（Ｂ）は樹脂製櫛歯体の斜視図、（Ｃ）は図１（Ａ）のＸ−Ｘ矢視断面図である。
【図３】（Ａ）は本発明の第１実施形態のガイド部材の正面図、（Ｂ）は横軸部の正面図、（Ｃ）は第１分割ケーシングの正面図、（Ｄ）は第２分割ケーシングの正面図、（Ｅ）は樹脂製櫛歯体の断面図である。
【図４】（Ａ）〜（Ｆ）は横軸部が樹脂製櫛歯体の単位櫛歯を撓ませている状態図である。
【図５】（Ａ）〜（Ｄ）はガイド部材及び横軸部が樹脂製櫛歯体を撓ませつつ右側又は左側に摺動させている状態図である。
【図６】（Ａ）は第２実施形態の本発明の斜視図、（Ｂ）は（Ａ）の縦断面図。
【図７】本発明の抵抗力と横軸部の摺動距離との関係グラフである。
【図８】（Ａ）〜（Ｃ）は本発明の模式図の状態図である。
【図９】（Ａ）は２層屋根に本発明を取り付けた略示図、（Ｂ）は１層屋根に本発明を取り付けた略示図である。
【発明を実施するための形態】
【００２０】
以下、本発明の２つの実施形態について図面に基づいて説明する。１実施形態は、２層以上の屋根用に用いる折板屋根受具である。また、第２実施形態は、単層屋根に用いる折板屋根受具である。まず、本発明の第１実施形態は、図１及び図２に示すように、主に、第１分割ケーシング１と第２分割ケーシング２からなるケーシングＡと、樹脂製櫛歯体３と、横軸部４と、ガイド部材５と、屋根面固定部７とから構成されている。
【００２１】
何れにしても、頂部５１と両側部５２，５２とからなる門形状などのガイド部材５が、固定状態の前記ケーシングＡに対して摺動可能に設けられている。前記ガイド部材５は、屋根面固定部７（吊子７１等）など一体形成されていることが多い。さらには、重合折板屋根〔図６（Ｂ）参照〕の場合には、前記ガイド部材５の頂部に直接に取付けられることもあるし、図６（Ｃ）の場合のように、嵌合折板屋根の場合には、屋根面固定部７は、嵌合用吊子となる。
【００２２】
前記ケーシングＡは、第１分割ケーシング１と、第２分割ケーシング２とで構成され、それぞれの下部の溝形部１２ｆ、２２ｆにて、折板屋根Ｒの屋根板材８における馳部８１を挟持する構成されている。単層の場合には、第１分割ケーシング１と、第２分割ケーシング２とに分割しないで、一体形成することもある。そのときには、溝形部１２ｆ、２２ｆは形成されない。
【００２３】
前記第１分割ケーシング１及び第２分割ケーシング２は、外面側部材１１，２１と、内面側部材１２，２２とから構成されている。前記外面側部材１１は、上面部１１ａの一端から垂下面部１１ｂが形成され、該垂下面部１１ｂの前後端の同一平面上に取付部１１ｃ，１１ｃが設けられると共に、該下側に、前記垂下面部１１ｂの前後端より約９０度屈曲して前面部１１ｄ，後部面１１ｅが形成されている。
【００２４】
さらに、前記垂下面部１１ｂの下端より前記上面部１１ａ側に底面部１１ｆが屈曲形成されている。また、外面側部材２１も、上面部２１ａ，垂下面部２１ｂ，取付部２１ｃ，２１ｃ，前面部２１ｄ，後部面２１ｅ及び底面部１１ｆが形成されている。
【００２５】
また、前記内面側部材１２は、上面部１２ａの一端から垂下面部１２ｂが形成され、該垂下面部１２ｂの前後端から約９０度屈曲して前面部１２ｃ，後部面１２ｄが形成されている。そして、該前面部１２ｃ，後部面１２ｄの端より前記垂下面部１２ｂと同一平面上となるように屈曲形成された取付部１２ｅ，１２ｅが設けられている。
【００２６】
さらに、前記垂下面部１２ｂの下端より前記上面部１２ａ側に屈曲するような底面部１２ｇが屈曲形成されている。また、内面側部材２２も、上面部２２ａ，垂下面部２２ｂ，前面部２２ｃ，後部面２２ｄ，取付部２２ｅ，２２ｅ，溝形部２２ｆ，底面部２２ｇが形成されている。
【００２７】
前記第１分割ケーシング１の外面側部材１１と内面側部材１２とが取付部１１ｃ，１２ｅとが重ね合わされ、上面、垂下面、前後面とで箱状部が構成されて、ここに前記樹脂製櫛歯体３が収納されている。該樹脂製櫛歯体３は、上部側の棒状取付部３１と、該棒状取付部３１の長手方向に沿って、該長手方向と直交する方向の垂下方向を向く単位櫛歯３２，３２，・・・と、隣接する単位櫛歯３２，３２間の空隙部３３とで構成され、材質としては硬質合成樹脂製にて構成されている。
【００２８】
前記棒状取付部３１が前記第１分割ケーシング１の上面部１１ａ，１２ａとがビスなどにて固着されている。固着されている前記第１分割ケーシング１の前記垂下面１１ｂ，１２ｂとに横方向に長孔として形成された横長孔１３，１３が形成されている。また、前記第２分割ケーシング２の上面部２１ａ，２２ａもビスなどにて固着され、それぞれの前記垂下面２１ｂ，２２ｂとも横長孔２３，２３が形成されている。
【００２９】
前記横長孔１３，１３と、前記横長孔２３，２３は、大きさも同一（略同等含む。）に形成されている。該横長孔１３，１３及び２３，２３を貫通するように前記横軸部４が設けられている。特に、該横軸部４が前記横長孔１３，１３及び２３，２３を長手方向に摺動する場合には、前記樹脂製櫛歯体３の単位櫛歯３２，３２，・・・の下端部を押し曲げるように構成され、同時に、前記単位櫛歯３２，３２，・・・の下端にて前記横軸部４，４を下方に押圧するようにセットされている。
【００３０】
具体的な構成においては、２本の前記横軸部４，４を下方に押し下げられるように、該当する位置の前記単位櫛歯３２，３２の下端のみに凹溝部３２ａ，３２ａが形成され、それ以外の前記単位櫛歯３２，３２の下端は千鋭部３２ｂ，３２ｂ，・・・が形成されている。実施形態では、２本の前記横軸部４，４が設けられており、安定性のためであるが、１本のみとすることもある。さらには、
【００３１】
次に、本発明の作用について図４に基づき説明する。図４（Ａ）においては、中立位置であるが、この紙面において、横軸部４が右方向に移動する。実際には、熱伸縮作用の作用で熱膨張してガイド部材５を介して移動する。そして、（Ｂ）のようになって、隣接の単位櫛歯３２の下端側を撓ませる。
【００３２】
この場合には、前記横軸部４は右方向にＦなる力が加わると共に、隣接する２本の前記単位櫛歯３２を撓ませつつ、撓み力にて抵抗力Ｒが得られる。さらに、横軸部４が右側に摺動すると、図４（Ｃ）のように、特に、１本のみの前記単位櫛歯３２を撓ませることになる。
【００３３】
さらに、右側に摺動すると、（Ｄ）に示すように、前記単位櫛歯３２をより多くの角度を撓ませることになる。このときの抵抗力Ｒは大きくなる。そして、右側に摺動すると、（Ｅ）に示すように、前記単位櫛歯３２を、最大で、より多くの角度を撓ませることになる。このときの抵抗力Ｒは最大に大きくなる。
これから過ぎると、今まで撓でいた単位櫛歯３２は、まっすぐな状態に戻る〔図４（Ｆ）参照〕。
【００３４】
このような抵抗力が発生している状態は、図７に示すように、鋸刃状態になる。すなわち、１本の単位櫛歯３２が撓む状態がより撓むと正比例状態で増加するが、パチンと１本の単位櫛歯３２から外れると、垂下状態で抵抗力は下がるが、直ぐに、次の単位櫛歯３２を撓ませることになって抵抗力が再び増加し、その次に外れ、これらを繰り返して、鋸刃状態となる。
【００３５】
また、図８に示すように、図５のような実施形態とは上下逆であるが、複数の単位櫛歯３２，３２，・・・に対して横軸部４は幅の広い板部として構成されており、該横軸部４が右側に摺動するに従って、３本の単位櫛歯３２，３２,３２を押圧したり、２本のみのこともあり、図７に示すグラフ状態となり、鋸刃の上下状態はあるが、極めて簡易な構成により定荷重反発ばねとして提供できる。
【００３６】
まず、施工時においては、折板屋根Ｒの屋根板材８を、本発明の折板屋根受具を介して取付けたときには、ケーシングＡの略中央位置に、屋根面固定部７の吊子７１が中立位置となるようにセットされている。具体的には、屋根施工直後であっても、常に、前記吊子７１のセンタリングが保持できる。
【００３７】
図８（Ａ）に示したものは、第１実施形態の折板屋根受具を２層の折板屋根Ｒの屋根板材８に用いた構成である。また、図８（Ｂ）に示したものは、第２実施形態の折板屋根受具を単層の折板屋根Ｒの屋根板材８に用いた構成である。本発明の実施形態では、特に簡単な構成ながら、定荷重無反発ばね的に使用できるものである。
【符号の説明】
【００３８】
Ａ…ケーシング、１…第１分割ケーシング、１３，２３…横長孔、１１ａ…上面部、
２…第２分割ケーシング、３…樹脂製櫛歯体、３１…棒状取付部、３２…単位櫛歯、
３３…空隙部、４…横軸部、５…ガイド部材。 
【図１】
0005702225.tif 000002
【図２】
0005702225.tif 000003
【図３】
0005702225.tif 000004
【図４】
0005702225.tif 000005
【図５】
0005702225.tif 000006
【図６】
0005702225.tif 000007
【図７】
0005702225.tif 000008
【図８】
0005702225.tif 000009
【図９】
0005702225.tif 000010